(57)【要約】 【課題】電源コードが本体ケース部とベース部との接続部分に絡むのを防止できる電気ストーブを提供する。【解決手段】ヒータ２を備えた本体ケース部３が接続されるベース部４の上面又は本体ケース部３の底部に、リング状に形成され直径が本体ケース部３の横幅の寸法と同じにリング状に形成されて突設された第一の凸環状部１５と、該第一の凸環状部１５より小径でリング状に形成さた第二の凸環状部１６を形成したので、電源コード１８が本体ケース部３とベース部４との接続部分の隙間に入り込もうとしても、外周側の第一の凸環状部１５に当接して入り込まず、更に入り込もうとすると第一の凸環状部１５と第二の凸環状部１６との間隔１７で保持されるので、電源コード１８が本体ケース部３とベース部４との接続部分に絡むのを防止できるものである。【選択図】図１
2011089742.tif 000002
【特許請求の範囲】
【請求項１】
ヒータを備えた本体ケース部と、該本体ケース部が接続されるベース部とを備え、前記ベース部の上面に、直径が本体ケース部の横幅と略同寸法でリング状に形成されて突設された第一の凸環状部と、該第一の凸環状部より小径でリング状に形成されて突設された第二の凸環状部を形成したことを特徴とする電気ストーブ。
【請求項２】
ヒータを備えた本体ケース部と、該本体ケース部が接続されるベース部とを備え、前記本体ケース部底部に、該本体ケース部底部の両縁部に本体ケース部の奥行きと略同寸法に形成されて突設された第一の凸環状部と、該第一の凸環状部よりも中心部側に本体ケース部の奥行きと略同寸法に形成されて突設された第二の凸環状部を形成したことを特徴とする電気ストーブ。
【請求項３】
前記第一の凸環状部と第二の凸環状部との間隔は、電源コードの幅よりも若干大きく、第一の凸環状部と第二の凸環状部の高さは電源コードの高さよりも大きくかつ本体ケース部とベース部の上面との間隔よりもわずかに短い高さに形成されたことを特徴とする請求項１又は請求項２記載の電気ストーブ。
【発明の詳細な説明】
【技術分野】
【０００１】
この発明は、首振り機構付電気ストーブに関するものである。
【背景技術】
【０００２】
従来よりこの種のものに於いては、ヒータ１０１と首振り機構１０２を備えた本体ケース１０３を、ベース板１０４から突出した支柱１０５に嵌合された支軸１０６に回動自在に取り付けられ、首振り機構１０２により本体ケース１０３が首振り運転を行うものである。（例えば、特許文献１参照）
【先行技術文献】
【特許文献】
【０００３】
【特許文献１】実開昭６３−２２５１０号
【発明の概要】
【発明が解決しようとする課題】
【０００４】
ところでこの従来のものでは、本体ケース１０３とベース板１０４との間に隙間があるため、隙間の部分、つまり支柱１０５に電源コードが絡まり、特に本体ケース１０３とベース板１０４との間の隙間が電源コードの太さと同じくらいの場合、隙間に電源コードが挟まって、そのままの状態で首振り運転を行うと、本体ケース１０３の首振り動作が停止したり、首振り運転により電源コードが本体ケース１０３の底部やベース板１０４の上部と擦れて電源コードが破損する場合があった。
【０００５】
又、本体ケース１０３とベース板１０４との間の隙間が狭い場合、その隙間に指を挟んでしまったり、又本体ケース１０３に本体ケース１０３が傾く方向に外力がかかると、その外力が本体ケース１０３が取り付けられている支柱１０５に嵌合された支軸１０６に集中し、本体ケース１０３と支軸１０６が取り付けられている部分が破損してしまう場合があった。
【課題を解決するための手段】
【０００６】
この発明はこの点に着目し上記課題を解決する為、特にその構成を請求項１では、ヒータを備えた本体ケース部と、該本体ケース部が接続されるベース部とを備え、前記ベース部の上面又は本体ケース部底部に、リング状に形成され直径が本体ケース部の横幅と略同寸法でリング状に形成されて突設された第一の凸環状部と、該第一の凸環状部より小径でリング状に形成されて突設された第二の凸環状部を形成したものである。
【０００７】
又請求項２に係る電気ストーブでは、特にその構成を、ヒータを備えた本体ケース部と、該本体ケース部が接続されるベース部とを備え、前記本体ケース部底部に、該本体ケース部底部の両縁部に本体ケース部の奥行きと略同寸法に形成されて突設された第一の凸環状部と、該第一の凸環状部よりも中心部側に本体ケース部の奥行きと略同寸法に形成されて突設された第二の凸環状部を形成したものである。
【０００８】
又請求項３に係る電気ストーブでは、特にその構成を請求項１又は請求項２の電気ストーブにおいて、前記第一の凸環状部と第二の凸環状部との間隔は、電源コードの幅よりも若干大きく、第一の凸環状部と第二の凸環状部の高さは電源コードの高さよりも大きくかつ本体ケース部とベース部の上面との間隔よりもわずかに短い高さに形成されたものである。
【発明の効果】
【０００９】
この発明の請求項１によれば、ヒータを備えた本体ケース部と、該本体ケース部が接続されるベース部とを備え、前記ベース部の上面に、直径が本体ケース部の横幅と略同寸法でリング状に形成されて突設された第一の凸環状部と、該第一の凸環状部より小径でリング状に形成されて突設された第二の凸環状部を形成したので、電源コードが本体ケース部とベース部との接続部分の隙間に入り込もうとしても、外周側の第一の凸環状部に当接して入り込まず、その状態で第一の凸環状部を乗り越えて更に入り込もうとすると第二の凸環状部に当接するので、それ以上本体ケース部とベース部との接続部分に電源コードが絡むことがなく、本体ケース部とベース部との接続部分に電源コードが絡むことで、本体ケース部とベース部との接続部分や本体ケース部の底部と電源コードが接触して擦れるのを防止し、接触による電源コードの摩耗や損傷を防止できるものである。
【００１０】
又、第一の凸環状部と第二の凸環状部とを形成したことにより、本体ケース部とベース部との隙間に指が入り込もうとしても、第一の凸環状部と第二の凸環状部とに指が当たって、指を挟むことを防止できるものである。
【００１１】
又、本体ケース部に本体ケース部が傾く方向に外力がかかっても、本体ケース部底部又はベース部がすぐに第一の凸環状部と第二の凸環状部の先端に接触して、それ以上本体ケース部が傾かないので、外力が本体ケース部とベース部との接続部分に集中せず、本体ケース部とベース部との接続部分が破損してしまうのを防止できるものである。
【００１２】
又本発明の請求項２に記載の電気ストーブによれば、ヒータを備えた本体ケース部と、該本体ケース部が接続されるベース部とを備え、前記本体ケース部底部に、該本体ケース部底部の両縁部に本体ケース部の奥行きと略同寸法に形成されて突設された第一の凸環状部と、該第一の凸環状部よりも中心部側に本体ケース部の奥行きと略同寸法に形成されて突設された第二の凸環状部を形成したので、電源コードが本体ケース部とベース部との接続部分の隙間に入り込もうとしても、外周側の第一の凸環状部に当接して入り込まず、その状態で第一の凸環状部を乗り越えて更に入り込もうとすると第二の凸環状部に当接するので、それ以上本体ケース部とベース部との接続部分に電源コードが絡むことがなく、本体ケース部とベース部との接続部分に電源コードが絡むことで、本体ケース部とベース部との接続部分や本体ケース部の底部と電源コードが接触して擦れるのを防止し、接触による電源コードの摩耗や損傷を防止できるものである。
【００１３】
又、第一の凸環状部と第二の凸環状部とを形成したことにより、本体ケース部とベース部との隙間に指が入り込もうとしても、第一の凸環状部と第二の凸環状部とに指が当たって、指を挟むことを防止できるものである。
【００１４】
又、本体ケース部に本体ケース部が傾く方向に外力がかかっても、本体ケース部底部又はベース部がすぐに第一の凸環状部と第二の凸環状部の先端に接触して、それ以上本体ケース部が傾かないので、外力が本体ケース部とベース部との接続部分に集中せず、本体ケース部とベース部との接続部分が破損してしまうのを防止できるものである。
【００１５】
又本発明の請求項３に記載の電気ストーブによれば、請求項１又は請求項２の電気ストーブに於いて、前記第一の凸環状部と第二の凸環状部との間隔は、電源コードの幅よりも若干大きく、第一の凸環状部と第二の凸環状部の高さは電源コードの高さよりも大きくかつ本体ケース部とベース部の上面との間隔よりもわずかに短い高さに形成されたので、電源コードが本体ケース部とベース部との接続部分の隙間に入り込もうとしても、外周側の第一の凸環状部に当接して入り込まず、その状態で第一の凸環状部を乗り越えて更に入り込もうとすると、第一の凸環状部と第二の凸環状部との間隔に保持されてそれ以上本体ケース部とベース部との接続部分に電源コードが絡むことがなく、本体ケース部とベース部との接続部分に電源コードが絡むことで本体ケース部とベース部との接続部分や本体ケース部の底部と、電源コードが接触して擦れるのを防止し、接触による電源コードの摩耗や損傷を防止できるものである。
【００１６】
又、第一の凸環状部と第二の凸環状部の高さを本体ケース部とベース部の上面との間隔よりもわずかに短く、先端が本体ケース部底部又はベース部上面に接触しない高さに形成したことにより、本体ケース部とベース部との隙間に指が入り込もうとしても、第一の凸環状部と第二の凸環状部とに指が当たるとともに、第一の凸環状部と第二の凸環状部との先端と本体ケース部の底部又はベース部とはほとんど隙間がないので、第一の凸環状部と第二の凸環状部との先端と本体ケース部の底部又はベース部との隙間に指が入り込むことはなく、したがって指を挟むことを防止できるものである。
【００１７】
又、本体ケース部に本体ケース部が傾く方向に外力がかかっても、第一の凸環状部と第二の凸環状部の高さを本体ケース部とベース部の上面との間隔よりもわずかに短く、先端が本体ケース部底部又はベース部に接触しない高さに形成したことにより、本体ケース部底部又はベース部がすぐに第一の凸環状部と第二の凸環状部の先端に接触して、それ以上本体ケース部が傾かないので、外力が本体ケース部とベース部との接続部分に集中せず、本体ケース部とベース部との接続部分が破損してしまうのを防止できるものである。
【図面の簡単な説明】
【００１８】
【図１】この発明の一実施例を付した電気ストーブを示す斜視図。
【図２】同側面図。
【図３】同ベース部の平面図。
【図４】同要部断面図。
【図５】同電線コードが隙間に保持された状態を示す要部断面図。
【図６】同その他の実施例を示す要部断面図。
【図７】従来の電気ストーブを示す構成図。
【発明を実施するための最良の形態】
【００１９】
次に、本発明に係る発明の一実施形態を図面に基づいて説明する。
１は電気ストーブで、１本のヒータ２を備えた本体ケース部３と、該本体ケース部３が接続されるベース部４とからなり、前記本体ケース部３は、ヒータ２を備え該ヒータ２の前面を覆うガード５が取り付けられる前面パネル６と、該前面パネル６と係合する背面パネル７と、係合した前面パネル６と背面パネル７の上部に取り付けられる操作部本体８からなるものである。
【００２０】
前記操作部本体８には、正面上部に暖房能力を表示する表示部９を設けると共に、上面には操作部１０を設け、該操作部１０は暖房運転のオンオフ及び暖房能力を設定する回転式の運転つまみ１１と、暖房能力をある幅で高低させるゆらぎ運転スイッチ１２と、３０分から１〜３時間まで運転時間を設定できる切りタイマースイッチ１３と、本体ケース部３を首振り運転させる首振りスイッチ１４を有するものである。
【００２１】
前記本体ケース部３内の下部には、ベース部４にネジにて固定され、本体ケース部３が首振り動作する際の首振り軸（図示せず）の一端を回転自在に支持する首振り軸支え（図示せず）がベース部４にネジにて固定され、首振り軸支え（図示せず）には本体ケース部３が載置され、該本体ケース部３を首振り動作させるリンク部（図示せず）と、該リンク部（図示せず）を動作させる首振モータ（図示せず）が取り付けられたモータ取り付け台（図示せず）が回動自在に取り付けられているものである。
【００２２】
前記ベース部４の上面には、リング状に形成され直径が本体ケース部３の横幅の寸法と同じにリング状に形成されて突設された第一の凸環状部１５と、該第一の凸環状部１５より小径でリング状に形成さた第二の凸環状部１６が設けられ、前記第一の凸環状部１５と第二の凸環状部１６との間隔１７は、電源コード１８の幅よりも若干大きい寸法に形成されている。
【００２３】
本件では、電源コード１８の幅が７ｍｍで高さが３．５ｍｍなのに対して、第一の凸環状部１５と第二の凸環状部１６との間隔１７は１２ｍｍで、第一の凸環状部１５と第二の凸環状部１６の高さは４ｍｍ以上でかつ本体ケース部３とベース部４の上面との間隔よりもわずかに低く、先端が本体ケース部３底部に接触しない高さに形成されているものである。
【００２４】
これにより、まず電源コード１８が本体ケース部３とベース部４との接続部分の隙間に入り込もうとしても、ベース部４上面で外周側の第一の凸環状部１５に当接して入り込まず、その状態で第一の凸環状部１５を乗り越えて更に入り込もうとすると、第一の凸環状部１５と第二の凸環状部１６との間隔１７で保持されてそれ以上本体ケース部３とベース部４との接続部分に電源コード１８が絡むことがなく、本体ケース部３とベース部４との接続部分に電源コード１８が絡むことで本体ケース部３とベース部４との接続部分や本体ケース部３の底部と、電源コード１８が接触して擦れるのを防止し、接触による電源コード１８の摩耗や損傷を防止できるものである。
【００２５】
又、第一の凸環状部１５と第二の凸環状部１６とを形成したことにより、本体ケース部３とベース部４との隙間に指が入り込もうとしても、第一の凸環状部１５と第二の凸環状部１６とに指が当たって、指を挟むことを防止できるものである。
【００２６】
又、第一の凸環状部１５と第二の凸環状部１６の高さを本体ケース部３とベース部４の上面との間隔よりもわずかに低く、先端が本体ケース部３底部に接触しない高さに形成したことにより、本体ケース部３に本体ケース部３が傾く方向に外力がかかっても、本体ケース部３底部がすぐに第一の凸環状部１５と第二の凸環状部１６の先端に接触して、それ以上本体ケース部３が傾かないので、外力が本体ケース３部とベース部４との接続部分に集中せず、本体ケース部３とベース部４との接続部分が破損してしまうのを防止できるものである。
【００２７】
なお、第一の凸環状部１５と第二の凸環状部１６をベース部４の上面に形成したがこれに限定されず、図６に示すように第一の凸環状部１５を本体ケース部底部の両縁部に本体ケース部の奥行きと略同寸法に形成し、第二の凸環状部１６を第一の凸環状部よりも中心部側に本体ケース部の奥行きと略同寸法に形成してもよいものである。
【符号の説明】
【００２８】
１  電気ストーブ
２  ヒータ
３  本体ケース部
４  ベース部
１５  第一の凸環状部
１６  第二の凸環状部
【図１】
2011089742.tif 000003
【図２】
2011089742.tif 000004
【図３】
2011089742.tif 000005
【図４】
2011089742.tif 000006
【図５】
2011089742.tif 000007
【図６】
2011089742.tif 000008
【図７】
2011089742.tif 000009